(57)【要約】【課題】シール部材による遠心ファンの吸込口とファンカバーの吸気口との接続の気密性をより向上した電動送風機を提供する。【解決手段】電動送風機は、軸方向に沿って突出する吸込口57を中央部に有するとともに、吸込口57の周囲に沿って位置する溝部57bを有し、電動機により回転駆動する遠心ファン14を有する。電動送風機は、吸気口87を中央部に有し、少なくとも遠心ファン14の一部を覆うファンカバー16を有する。電動送風機は、遠心ファン14とファンカバー16との間に位置し、溝部57bを含む吸込口57の周縁が食い込むことで吸込口57と吸気口87とを接続するシール部材92を有する。【選択図】図１
2012202344.tif 000002
【特許請求の範囲】
【請求項１】
電動機と、
軸方向に沿って突出する吸込口を中央部に有するとともに、この吸込口の周囲に沿って位置する溝部を有し、前記電動機により回転駆動される遠心ファンと、
吸気口を中央部に有し、少なくとも前記遠心ファンの一部を覆うファンカバーと、
前記遠心ファンと前記ファンカバーとの間に挟持され、前記溝部を含む前記吸込口の周縁が食い込むことで前記吸込口と前記吸気口とを接続するシール部材と
を具備したことを特徴とした電動送風機。
【請求項２】
遠心ファンは、吸込口の周囲が他部よりも厚肉である
ことを特徴とした請求項１記載の電動送風機。
【請求項３】
遠心ファンは、溝部の内周側よりも外周側の突出量が小さい
ことを特徴とした請求項１または２記載の電動送風機。
【請求項４】
遠心ファンは、吸込口の周囲に取り付けられこの吸込口との間に前記溝部を形成する溝部形成体を有している
ことを特徴とした請求項１記載の電動送風機。
【発明の詳細な説明】
【技術分野】
【０００１】
本発明の実施形態は、吸込口と吸気口とを接続するシール部材を備えた電動送風機に関する。
【背景技術】
【０００２】
従来、例えば電気掃除機などに用いられる電動送風機は、電動機と、この電動機の回転軸に接続された遠心ファンと、これら電動機と遠心ファンとの間に位置する整流板であるディフューザと、遠心ファンの一部を覆って電動機に取り付けられたファンカバーとを有している。遠心ファンは、円形状の吸込口を中央部に有しており、この吸込口の周縁は、ファンカバー側へと軸方向に沿って突出している。また、ファンカバーは、円形状の吸気口を中央部に有しており、この吸気口の周縁は、遠心ファン側へと軸方向に沿って突出している。そして、これら遠心ファンとファンカバーとの間には、円環状のシール部材が挟持されており、このシール部材によって、吸込口と吸気口とが接続される。
【０００３】
このシール部材は、吸込口と吸気口とを気密に接続することにより吸気口から吸い込んだ空気を吸込口へと確実に通過させるとともに、遠心ファンの周囲から吹き出された空気の吸込口への循環流を防止する。したがって、電動送風機の吸込仕事率(効率)を確保するために、シール部材による吸込口と吸気口との接続の気密性をより向上することが望まれている。
【先行技術文献】
【特許文献】
【０００４】
【特許文献１】特許第２８８５０４２号公報
【発明の概要】
【発明が解決しようとする課題】
【０００５】
本発明が解決しようとする課題は、シール部材による遠心ファンの吸込口とファンカバーの吸気口との接続の気密性をより向上した電動送風機を提供することである。
【課題を解決するための手段】
【０００６】
実施形態の電動送風機は、電動機を有する。また、この電動送風機は、軸方向に沿って突出する吸込口を中央部に有するとともに、この吸込口の周囲に沿って位置する溝部を有し、電動機により回転駆動される遠心ファンを有する。さらに、この電動送風機は、吸気口を中央部に有し、少なくとも遠心ファンの一部を覆うファンカバーを有する。そして、この電動送風機は、遠心ファンとファンカバーとの間に挟持され、溝部を含む吸込口の周縁が食い込むことで吸込口と吸気口とを接続するシール部材を有する。
【図面の簡単な説明】
【０００７】
【図１】第１の実施形態の電動送風機の一部を拡大して示す縦断面図である。
【図２】同上電動送風機の遠心ファンを示す平面図である。
【図３】同上電動送風機を一部を切り欠いて示す側面図である。
【図４】第２の実施形態の電動送風機の一部を拡大して示す縦断面図である。
【図５】第３の実施形態の電動送風機の一部を拡大して示す縦断面図である。
【図６】同上電動送風機の遠心ファンを示し、(a)はその分解斜視図、(b)は斜視図である。
【発明を実施するための形態】
【０００８】
以下、第１の実施形態の構成を図１ないし図３を参照して説明する。
【０００９】
図３において、11は電動送風機を示し、この電動送風機11は、例えば電気掃除機、あるいはブロワなどに用いられるものである。そして、この電動送風機11は、電動機13と、この電動機13に接続されて回転駆動される遠心ファン14と、これら電動機13と遠心ファン14との間に位置する整流板であるディフューザ15と、遠心ファン14およびディフューザ15の一部を覆う略円筒状のファンカバー16とを備えており、図示しない制御手段により動作が制御される。なお、以下、便宜的に、電動機13側を下側、遠心ファン14側(ファンカバー16側)を上側として説明する。
【００１０】
電動機13は、本体部であるモータ本体部21と、このモータ本体部21を保持する胴体ケースとしてのフレーム22とを有している。
【００１１】
モータ本体部21は、例えば四角形枠状の固定子25の内方に回転子26が配置されて構成されたインナロータ型の周知のものであり、本実施形態では、ブラシ装置27を用いる整流子モータとするが、例えばブラシレスモータなどでもよい。
【００１２】
固定子25は、ステータ、あるいはフィールドとも呼ばれるもので、界磁巻線29により周方向に複数の固定磁極を形成する。
【００１３】
また、回転子26は、ロータ、あるいは電機子すなわちアーマチュアとも呼ばれるもので、回転中心となる出力軸である回転軸31に、ブラシ装置27と摺接する整流子32、および、この整流子32に電気的に接続され回転磁極を形成する回転子本体としてのアーマチュアコア33が一体的に形成されている。
【００１４】
回転軸31は、軸方向の一端部である上端部が、ディフューザ15に挿通され、この上端部に遠心ファン14が接続されている。また、この回転軸31は、両端側がベアリング35，36によりそれぞれ回転自在に保持されている。
【００１５】
また、フレーム22は、略有底円筒状の第１フレーム41とこの第１フレーム41の上端部に径方向に沿って配置された第２フレーム42とを有している。
【００１６】
第１フレーム41は、例えば金属、あるいは合成樹脂などにより形成され、内部に固定子25を保持している。また、この第１フレーム41の下端側には、各ブラシ装置27が取り付けられるブラシ取付孔44が互いに対向する位置に開口形成されているとともに、これらブラシ取付孔44の間の位置に、複数の排気口45が開口形成されている。さらに、この第１フレーム41の下端部には、ベアリング35を保持するモータヘッド部46が同軸状に形成されている。
【００１７】
第２フレーム42は、例えば金属、あるいは合成樹脂などにより形成され、両端部がねじ51を介して第１フレーム41の上端側に径方向に沿って固定されている。また、この第２フレーム42の中央部には、ベアリング36を内側に保持するベアリング保持部52が上側へと突出するように形成されており、このベアリング保持部52の外側が、ディフューザ15を固定する部分となっている。
【００１８】
また、各ブラシ装置27は、図示しない電源に対して電気的に接続される角柱状のカーボンブラシ54を内部に移動可能に保持しており、このカーボンブラシ54の先端側が整流子32に圧接されて電気的に接続されている。
【００１９】
そして、遠心ファン14は、回転軸31と一体的に回転するもので、例えばアルミニウムなどの金属により形成されている。この遠心ファン14は、一のファンプレート(シュラウド)である円板状の下部ファンプレート56、この下部ファンプレート56に対して所定の間隙を介して略平行に対向し中央部に吸込口57を備えた他のファンプレート(シュラウド)である円板状の上部ファンプレート58、および、これらファンプレート56，58の間に一体的に挟持固定された平面視で渦巻状のブレードである複数のファン翼59を備えている。
【００２０】
電動機13側に位置する下部ファンプレート56は、中央部に丸孔状の孔部61が形成されており、この孔部61に挿通された回転軸31の上端部が、ワッシャ63，64およびナット65を介して遠心ファン14と一体的に連結される。そして、この一方のワッシャ63の下側には、間隙を保持するための円筒状のスリーブ67が当接している。
【００２１】
また、上部ファンプレート58は、周縁部から吸込口57へと徐々に上方すなわち下部ファンプレート56から離間される側へと突出するように形成されている。すなわち、吸込口57の周縁部57aが、ファンカバー16側である上方に向けて遠心ファン14の軸方向に沿って突出する円筒形状に形成されている。また、この吸込口57の周縁部57aは、遠心ファン14の他部、すなわち上部ファンプレート58の他部、下部ファンプレート56および各ファン翼59などと比較して肉厚が大きく、すなわち厚肉に形成されている。さらに、この上部ファンプレート58には、図１および図２に示すように、吸込口57の周縁部57aの上端面に、円環状の溝部57bが、周縁部57a全体に亘って形成されている。
【００２２】
また、図３に示す各ファン翼59は、吸込口57の外方から、各ファンプレート56，58の周縁部近傍に亘って円弧状に湾曲して延びている。さらに、各ファン翼59は、各ファンプレート56，58に対して面方向が略直交するように配置され、各ファンプレート56，58に対して、複数箇所の固定部59a(図２)においてかしめ固定されて各ファンプレート56，58と一体的となっている。なお、各ファン翼59は、溶接などにより各ファンプレート56，58と一体的としてもよい。
【００２３】
また、ディフューザ15は、遠心ファン14から外周側へと吹き出された空気を整流して電動機13側へと導くもので、電動機13と遠心ファン14との間に位置している。さらに、このディフューザ15は、整流板本体としてのディフューザ本体75と、このディフューザ本体75の一主面である上面から上方へと突出した複数の上流側ブレード76と、ディフューザ本体75の他主面である下面から下方へと突出した複数の下流側ブレード77とを一体に有している。そして、このディフューザ15は、ディフューザ本体75の中央部に形成された保持孔部78に対して第２フレーム42のベアリング保持部52が下側から挿入されており、ねじ79を介して第２フレーム42と固定されている。
【００２４】
また、ファンカバー16は、例えば亜鉛めっき鋼板などの金属によりプレス成形されており、電動機13のフレーム22の第１フレーム41の上端側の外周縁部に圧入嵌合される。このファンカバー16は、円筒状の外板部81と、この外板部81の一端部である上端部から中心側へと延びる整流板対向部である延出部82と、この延出部82の中心側から一端側である上方に向けて段差状に突出する段差部としてのカバー突出部83と、このカバー突出部83の一端部である上端部から中心側へと徐々に上側へと突出するように形成された遠心ファン対向部である傾斜部84と、この傾斜部84の一端部である上端部から中心側へと伸びる壁部としての平板部85とを一体に有しており、この平板部85の中央部に、ファンカバー16の軸方向に沿う円筒状のバーリング部である筒部86が一体に形成され、この筒部86の内側が丸孔状の吸気口87となっている。なお、延出部82、カバー突出部83、傾斜部84および平板部85により、外板部81に連続しファンカバー16の遠心ファン14およびディフューザ15の上流側(上側)を覆う覆い部88が形成されている。
【００２５】
外板部81は、ファンカバー16の最外周を構成するものであり、吸気口87の外部に位置し、フレーム22の第１フレーム41の外縁部に対して下端部が圧入固定される。
【００２６】
延出部82は、吸気口87の外部に位置し、ファンカバー16(外板部81)の軸方向に対して交差(直交)する方向に沿って平面状に形成されており、例えばディフューザ15の上流側ブレード76の上端部が圧接されることで、互いに隣接する上流側ブレード76，76との間に流路を形成するものである。
【００２７】
カバー突出部83は、外板部81と同軸状に形成された円筒状の部分であり、吸気口87の外部に位置し、遠心ファン14よりもわずかに大きい径寸法を有している。そして、このカバー突出部83は、遠心ファン14との干渉を避けるように、遠心ファン14に対して離間される方向へと延出部82に対して突出している。
【００２８】
傾斜部84は、吸気口87の外部に位置し、カバー突出部83側から平板部85側へと、徐々に傾斜が大きくなるように湾曲した湾曲板状に形成されている。
【００２９】
平板部85は、ファンカバー16の最上端を構成する、すなわちファンカバー16の遠心ファン14(電動機13のフレーム22)に対して反対側の端部に位置するものであり、吸気口87の外部に位置し、ファンカバー16の軸方向に対して交差(直交)する方向に沿って平面状に形成されている。
【００３０】
筒部86は、例えばバーリング加工などによって平板部85の中央部に形成されており、下側、すなわち遠心ファン14側へと突出している。また、この筒部86は、外板部81およびカバー突出部83と同軸状に形成されている。さらに、この筒部86の外周と平板部85との間には、円環状のシール部材92が取り付けられている。
【００３１】
このシール部材92は、ファンカバー16の吸気口87と遠心ファン14の吸込口57とを接続するとともに、遠心ファン14から外周方向へと吹き出された空気の吸込口57への循環流を遮断するものである。また、このシール部材92は、遠心ファン14およびファンカバー16を構成する部材よりも軟質で、かつ、弾性、耐熱性および滑り性を有する部材などにより形成されている。具体的には、シール部材92を形成する部材としては、例えばＰＴＦＥとポリウレタンとを複合して形成するゴアテックス(登録商標)などの、削り屑が生じない(生じにくい)ものが用いられる。また、このシール部材92は、断面四角形状に形成されており、内周面92a全体が筒部86の外周に密着し、遠心ファン14側(下側)の(一方の)主面92bに遠心ファン14が食い込み、かつ、遠心ファン14に対して反対側(上側)の(他方の)主面92c全体が平板部85に密着している。
【００３２】
ここで、シール部材92の遠心ファン14側(下側)の主面92bには、遠心ファン14の吸込口57の溝部57bを含む周縁部57aの全周(周縁)が食い込んで摺接する摺接溝部92dが円環状に形成されている。したがって、この摺接溝部92dには、遠心ファン14の溝部57bに対応する部分に、この溝部57bに入り込んで嵌合する凸部92eが形成されている。そして、遠心ファン14の吸込口57の周縁部57aの溝部57bと摺接溝部92dおよび凸部92eとの間には、僅かな間隙94がそれぞれ形成されている。すなわち、これら間隙94は、凹字状の複雑な形状となっており、内部を通過しようとする空気の圧力損失を増大させるように構成されている。
【００３３】
また、吸気口87は、シール部材92により遠心ファン14の吸込口57と気密に接続されている。
【００３４】
次に、上記第１の実施形態の作用を説明する。
【００３５】
遠心ファン14の製造の際には、まず、下部ファンプレート56、上部ファンプレート58およびファン翼59のそれぞれをプレス成形などにより形成する。
【００３６】
このとき、上部ファンプレート58は、例えば板金から一旦プレス成形した後、吸込口57の周縁部57aに対応する箇所を軸方向に圧縮することで、この周縁部57aの肉厚を上部ファンプレート58の他部(および下部ファンプレート56、ファン翼59)よりも厚くし、この肉厚を厚くした周縁部57aに対して、切削加工などにより溝部57bを形成する。
【００３７】
そして、ファンプレート56，58間にファン翼59を例えば固定部59aにおいてそれぞれかしめ固定するとともに、例えば電着塗装などの所定の塗装法によりこれらファンプレート56，58およびファン翼59を一体的に塗装することにより、下部ファンプレート56および上部ファンプレート58のそれぞれとファン翼59との微小な隙間を閉塞して遠心ファン14を完成する。
【００３８】
また、電動送風機11の組み立ての際には、第１フレーム41内にモータ本体部21を収容し、ベアリング35に回転軸31の下端部を挿入固定するとともに、第２フレーム42を第１フレーム41にねじ51により固定し、ベアリング36に回転軸31の上端側を挿入固定し、第１フレーム41のブラシ取付孔44にブラシ装置27を取り付ける。
【００３９】
さらに、第２フレーム42のベアリング保持部52の外側をディフューザ15の保持孔部78に挿入してディフューザ15を第２フレーム42に取り付け、ねじ79により固定する。
【００４０】
また、ベアリング保持部52よりも突出した回転軸31にスリーブ67、ワッシャ63、上記製造した遠心ファン14およびワッシャ64を順次取り付け、ナット65によりこれらを回転軸31に連結固定する。
【００４１】
一方、プレス加工などにより予め形成したファンカバー16に対して、シール部材92を筒部86の外周に取り付け、このファンカバー16の外板部81を、第１フレーム41に圧入して固定する。この結果、シール部材92の主面92bに対して遠心ファン14の吸込口57の周縁部57aが押し付けられる。
【００４２】
この状態で、遠心ファン14を適宜回転させることにより、吸込口57の周縁部57aがシール部材92を削り、シール部材92の主面92bに、周縁部57aに密着する摺接溝部92dが形成されて吸込口57の溝部57bを含む周縁部57a(周縁)がシール部材92に食い込み、すなわち、遠心ファン14の吸込口57の周縁部57aの上端部とファンカバー16の吸気口87(筒部86)の下端部とが、軸方向にラップし(遠心ファン14の吸込口57の周縁部57aの上端部がファンカバー16の吸気口87(筒部86)の下端部よりも上側に位置し)、吸込口57と吸気口87とが気密に接続される。したがって、このとき、摺接溝部92dには、遠心ファン14の溝部57bに回転可能に嵌合する凸部92eが形成される。なお、シール部材92は、削り屑が生じにくい部材により形成しているため、遠心ファン14の周縁部57a(周縁)の食い込みによって削り屑が生じたり、遠心ファン14の回転に伴い摺接溝部92dが次第に広がって行ったりすることはない。
【００４３】
そして、電動機13を駆動させると、回転軸31に連結された遠心ファン14が回転することで負圧を発生させ、吸気口87および吸込口57を介して空気を遠心ファン14へと吸い込む。この後、各ファン翼59により導かれた空気は、遠心ファン14から外周方向へと吹き出され、ディフューザ15の上流側ブレード76により整流されつつディフューザ15の外周方向へと流れる。このとき、遠心ファン14の吸込口57の溝部57bを含む周縁部57a(周縁)がシール部材92の主面92bに食い込み、溝部57bに凸部92eが嵌合しているため、遠心ファン14の吸込口57の周縁部57aとシール部材92の摺接溝部92dとの間隙94を通過しようとする空気の圧力損失が大きくなる、いわゆるラビリンス効果によって、吸気口87と吸込口57とが高い気密状態に接続され、吸気口87を介して遠心ファン14の吸込口57へと空気を円滑に吸い込むとともに、遠心ファン14の各ファン翼59により整流されて遠心ファン14の外周方向へと吹き出された空気が、相対的に圧力が高くなっている遠心ファン14の上部ファンプレート58とファンカバー16との間から相対的に圧力が低くなっている吸込口57へと循環することを防止する。
【００４４】
さらに、ディフューザ15の外周方向へと流れた空気は、ディフューザ15の下流側ブレード77により整流されつつ第１フレーム41内へと流入し、電動機13(のモータ本体部21および各ブラシ装置27など)を冷却した後、各排気口45から排気される。
【００４５】
このように、上記第１の実施形態によれば、遠心ファン14の吸込口57の周囲に沿って位置する溝部57bを含む周縁をシール部材92に食い込ませて吸込口57と吸気口87とを接続することにより、シール部材92の摺接溝部92dと遠心ファン14の吸込口57の周縁との間隙94を、より長い風路とすることができる。したがって、ラビリンス効果を向上できるので、この間隙94からの空気の漏れ(リーク)を抑制でき、シール部材92による遠心ファン14の吸込口57とファンカバー16の吸気口87との接続の気密性をより向上できる。
【００４６】
次に、第２の実施形態を図４を参照して説明する。なお、上記第１の実施形態と同様の構成および作用については、同一符号を付してその説明を省略する。
【００４７】
この第２の実施形態は、上記第１の実施形態において、遠心ファン14の溝部57bの内周側よりも外周側の突出量が小さいものである。
【００４８】
すなわち、遠心ファン14は、吸込口57の周縁部57aのうち、溝部57bの外周側である外周側周縁部57aaの上端部が、溝部57bの内周側である内周側周縁部57abの上端部よりも下側に位置している。換言すれば、吸込口57の周縁は、外周側ほどシール部材92の主面92bへの食い込み量が少なくなるように、すなわち外周側ほどシール部材92に対する摩擦抵抗が小さくなるように設定されている。
【００４９】
したがって、上記第２の実施形態によれば、相対的に周速が大きくシール部材92に対する摩擦抵抗が相対的に大きくなる吸込口57の外周側の突出量を、相対的に周速が小さくシール部材92に対する摩擦抵抗が相対的に小さくなる吸込口57の内周側の突出量よりも小さくすることにより、遠心ファン14とシール部材92との摩擦を抑制でき、遠心ファン14をより円滑に回転駆動させることができる。
【００５０】
そして、以上説明した各実施形態によれば、遠心ファン14の吸込口57の周縁を遠心ファン14の他部よりも厚肉に形成することにより、吸込口57の周縁に溝部57bを切削加工などによって、より容易に形成できるとともに、遠心ファン14の吸込口57の周縁部57aの溝部57bの内周側および外周側での強度をより向上できる。
【００５１】
なお、上記各実施形態において、溝部57bは、周縁部57aの肉厚によっては、同心円状に複数形成してもよい。
【００５２】
次に、第３の実施形態を図５および図６を参照して説明する。なお、上記各実施形態と同様の構成および作用については、同一符号を付してその説明を省略する。
【００５３】
この第３の実施形態は、上記第１の実施形態の溝部57bに代えて、遠心ファン14の上部ファンプレート58の吸込口57の周縁部57aの外方に、カバーである溝部形成体101が一体的に取り付けられて、この溝部形成体101と周縁部57aとの間、すなわち吸込口57の周縁に、溝部102が形成されているものである。
【００５４】
溝部形成体101は、例えば遠心ファン14の他部、すなわちファンプレート56，58およびファン翼59などと同様に、アルミニウムなどの金属により形成されている。この溝部形成体101は、例えばファンプレート56，58などと略等しい、略均一な肉厚を有している。また、この溝部形成体101は、ファンプレート56，58よりも小径の円板状に形成されており、中央部に円形状の開口部104を有しているとともに、周縁部から中央部である開口部104の周縁部104aへと徐々に上方へと突出するように形成されている。すなわち、開口部104の周縁部104aが、ファンカバー16側である上方に向けて突出する円筒形状に形成されている。さらに、開口部104は、遠心ファン14の吸込口57よりも大径に形成されており、この開口部104の周縁部104aは、吸込口57の周縁部57aに対して外方に溝部102を介して離間されている。
【００５５】
そして、遠心ファン14を製造する際には、まず、下部ファンプレート56、上部ファンプレート58、ファン翼59および溝部形成体101のそれぞれをプレス成形などにより形成する。
【００５６】
次いで、ファンプレート56，58間にファン翼59を例えば固定部59aにおいてそれぞれかしめ固定するとともに、図６(a)および図６(b)に示すように、上部ファンプレート58の吸込口57の周縁部57aの周囲に溝部形成体101をかしめや溶接により固定した後、例えば電着塗装などの所定の塗装法によりこれらファンプレート56，58、ファン翼59および溝部形成体101を一体的に塗装することにより、下部ファンプレート56および上部ファンプレート58のそれぞれとファン翼59との微小な隙間、および、上部ファンプレート58および溝部形成体101の外周側との微小な隙間をそれぞれ閉塞して遠心ファン14を完成する。
【００５７】
このように、上記第３の実施形態によれば、遠心ファン14が、吸込口57の周囲に取り付けられこの吸込口57との間に溝部102を形成する溝部形成体101を有することにより、この溝部形成体101を上部ファンプレート58に対して一体的に取り付けることで、精度を要する周縁部57aの切削加工などを用いることなく溝部102を容易に形成できる。
【００５８】
なお、上記第３の実施形態において、溝部形成体101は、複数枚を遠心ファン14の上部ファンプレート58に対して一体的に順次配置することで溝部102を吸込口57の周縁に同心円状に複数形成してもよい。
【００５９】
そして、以上説明した少なくともいずれか一つの実施形態によれば、遠心ファン14の吸込口57の周囲に沿って位置する溝部57b，102を含む周縁をシール部材92に食い込ませて吸込口57と吸気口87とを接続することにより、遠心ファン14の吸込口57の周囲に沿って位置する溝部57b，102を含む周縁をシール部材92に食い込ませて吸込口57と吸気口87とを接続することで、シール部材92の摺接溝部92dと遠心ファン14の吸込口57の周縁との間隙94を、より長い風路とすることができる。したがって、ラビリンス効果を向上できるので、この間隙94からの空気の漏れ(リーク)を抑制でき、シール部材92による遠心ファン14の吸込口57とファンカバー16の吸気口87との接続の気密性をより向上できる。
【００６０】
さらに、遠心ファン14の吸込口57とファンカバー16の吸気口87との接続の気密性をより向上できるため、電動送風機11の吸込仕事率(効率)をより向上できる。
【００６１】
なお、上記各実施形態において、電動送風機11は、電気掃除機、あるいはブロワなどの他にも、任意の機器に適用できる。
【００６２】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
11    電動送風機
13    電動機
14    遠心ファン
16    ファンカバー
57    吸込口
57b，102   溝部
87    吸気口
92    シール部材
101   溝部形成体
【図１】
2012202344.tif 000003
【図２】
2012202344.tif 000004
【図３】
2012202344.tif 000005
【図４】
2012202344.tif 000006
【図５】
2012202344.tif 000007
【図６】
2012202344.tif 000008